(57)【要約】【課題】0.5Ｗを超える戻り光が存在しても順方向入射側の偏光保持光ファイバーが破壊されない偏光依存型インライン光アイソレータを提供する。【解決手段】ファラデー回転子11の順方向入射側と出射側に偏光子８と検光子10が配置され、偏光子の順方向入射側に偏光保持光ファイバー１とコリメートレンズ３を組み合わせた第一光ファイバーコリメータが配置され、検光子の順方向出射側に偏光保持光ファイバー２とコリメートレンズ４を組み合わせた第二光ファイバーコリメータが配置された構造の偏光依存型インライン光アイソレータであり、回折格子型偏光子により上記偏光子８を構成し、かつ、回折格子型偏光子８と第一光ファイバーコリメータのコリメートレンズ３間に孔100を有する遮蔽板７が配置されていることを特徴とする。【選択図】図２
2011069875.tif 000002
【特許請求の範囲】
【請求項１】
ファラデー回転子を中央にしてその順方向入射側に偏光子が配置され、順方向出射側に検光子が配置されると共に、上記偏光子の順方向入射側に、偏光保持光ファイバーとコリメートレンズを組み合わせて成る第一光ファイバーコリメータが、そのコリメートレンズを偏光子側に向けて配置され、かつ、上記検光子の順方向出射側に、偏光保持光ファイバーとコリメートレンズを組み合わせて成る第二光ファイバーコリメータが、そのコリメートレンズを検光子側に向けて配置された構造を備える偏光依存型インライン光アイソレータにおいて、
上記偏光子を回折格子型偏光子で構成し、かつ、この回折格子型偏光子と上記第一光ファイバーコリメータのコリメートレンズ間に、第一光ファイバーコリメータの偏光保持光ファイバーからの入射光が上記コリメートレンズを介して通過する孔を有する遮蔽板が配置されていることを特徴とする偏光依存型インライン光アイソレータ。
【請求項２】
透明なガラス基板とこの基板の少なくとも片面に設けられた回折型偏光子とで上記回折格子型偏光子が構成され、かつ、この回折型偏光子をファラデー回転子側に向けて上記回折格子型偏光子が配置されていることを特徴とする請求項１に記載の偏光依存型インライン光アイソレータ。
【請求項３】
上記第一光ファイバーコリメータのコリメートレンズが筒形状を有するコリメートレンズホルダに取り付けられ、かつ、このコリメートレンズホルダにおける回折格子型偏光子側の開放端に上記遮蔽板が取り付けられていることを特徴とする請求項１に記載の偏光依存型インライン光アイソレータ。
【発明の詳細な説明】
【技術分野】
【０００１】
本発明は、光通信や加工用に使用される高出力レーザーの戻り光対策用に利用される偏光依存型インライン光アイソレータに関するものである。
【背景技術】
【０００２】
加工等に使用されているファイバーレーザー（希土類添加ファイバーを増幅媒体とするレーザー）等では、レーザー共振器外部の光学面や加工面で反射された光がファイバーレーザー等のレーザー素子に戻ってくるとレーザー発振が不安定になり、最悪、レーザー素子が破壊されてしまう場合がある。このような反射戻り光がファイバーレーザー等のレーザー素子に戻らないようにするため光アイソレータが使用される。
【０００３】
特に近年、偏光保持光ファイバーを使用したファイバーレーザーが開発され、この場合には光アイソレータとして偏光依存型インライン光アイソレータが用いられる。
【０００４】
この偏光依存型インライン光アイソレータは、図１に示すように、ファラデー回転子ａを中央にしてその順方向入射側に偏光子ｂが配置され、順方向出射側に検光子ｃが配置されると共に、上記偏光子ｂの順方向入射側に、偏光保持光ファイバーｄとコリメートレンズｅを組み合わせて成る第一光ファイバーコリメータが、そのコリメートレンズｅを偏光子ｂ側に向けて配置され、かつ、上記検光子ｃの順方向出射側に、偏光保持光ファイバーｆとコリメートレンズｇを組み合わせて成る第二光ファイバーコリメータが、そのコリメートレンズｇを検光子ｃ側に向けて配置される構造を有するものであった。
【０００５】
ところで、上記偏光依存型インライン光アイソレータに用いられる偏光子として、従来、電界吸収型偏光子、あるいは、グラントムソンプリズムやグランテーラープリズムに代表される反射型偏光子が用いられてきた。
【０００６】
しかし、電界吸収型偏光子を用いた場合、戻り光のパワーが大きいと上記偏光子により吸収された光が熱に変換され、偏光子自身が破壊されてしまう問題があった。他方、上記反射型偏光子を用いた場合、プリズム自体が大きく、光アイソレータをコンパクトにできないという問題、コストが高い問題等が存在した。
【０００７】
これ等の問題点を改善する方法としては、特開平２−１７６６２１号公報や特開平５−１８１０８８号公報に記載されている「回折格子型偏光子」を用いる偏光依存型インライン光アイソレータが考えられる。
【０００８】
尚、偏光子に楔形複屈折結晶板を用いた偏光無依存型光アイソレータ（特開２００７−２５６６１６号公報参照）を適用する方法も考えられるが、楔形複屈折結晶板によりビームがシフトすること、偏波モード分散（ＰＭＤ）が生じないように楔形複屈折結晶板の結晶軸と入射光の偏光を合わせる必要があることから調整が難しいという問題がある。
【先行技術文献】
【特許文献】
【０００９】
【特許文献１】特開平２−１７６６２１号公報
【特許文献２】特開平５−１８１０８８号公報
【特許文献３】特開２００７−２５６６１６号公報
【発明の概要】
【発明が解決しようとする課題】
【００１０】
ところで、上記「回折格子型偏光子」を用いる偏光依存型インライン光アイソレータに変更した場合、上述した電界吸収型偏光子や反射型偏光子等を用いた偏光依存型インライン光アイソレータの問題については解消される反面、上記「回折格子型偏光子」により回折された戻り光は、そのまま順方向入射側のコリメートレンズｅに入ってしまうため、コリメートレンズｅにより集光された光は、上記偏光保持光ファイバーｄのコアに戻らないものの偏光保持光ファイバーｄの周辺に戻ることになる。
【００１１】
そして、この戻り光が０．５Ｗを超えるような出力の場合、上記偏光保持光ファイバーｄを破損させてしまう等の新たな問題を生ずることが考えられる。
【００１２】
本発明はこのような問題点に着目してなされたもので、その課題とするところは、上記「回折格子型偏光子」を用いる偏光依存型インライン光アイソレータを前提とし、０．５Ｗを超えるような強い戻り光が存在しても、順方向入射側のコリメートレンズに入射されることのない小型で安価な偏光依存型インライン光アイソレータを提供することにある。
【課題を解決するための手段】
【００１３】
すなわち、請求項１に係る発明は、
ファラデー回転子を中央にしてその順方向入射側に偏光子が配置され、順方向出射側に検光子が配置されると共に、上記偏光子の順方向入射側に、偏光保持光ファイバーとコリメートレンズを組み合わせて成る第一光ファイバーコリメータが、そのコリメートレンズを偏光子側に向けて配置され、かつ、上記検光子の順方向出射側に、偏光保持光ファイバーとコリメートレンズを組み合わせて成る第二光ファイバーコリメータが、そのコリメートレンズを検光子側に向けて配置された構造を備える偏光依存型インライン光アイソレータにおいて、
上記偏光子を回折格子型偏光子で構成し、かつ、この回折格子型偏光子と上記第一光ファイバーコリメータのコリメートレンズ間に、第一光ファイバーコリメータの偏光保持光ファイバーからの入射光が上記コリメートレンズを介して通過する孔を有する遮蔽板が配置されていることを特徴とするものである。
【００１４】
また、請求項２に係る発明は、
請求項１に記載の発明に係る偏光依存型インライン光アイソレータにおいて、
透明なガラス基板とこの基板の少なくとも片面に設けられた回折型偏光子とで上記回折格子型偏光子が構成され、かつ、この回折型偏光子をファラデー回転子側に向けて上記回折格子型偏光子が配置されていることを特徴とし、
請求項３に係る発明は、
請求項１に記載の発明に係る偏光依存型インライン光アイソレータにおいて、
上記第一光ファイバーコリメータのコリメートレンズが筒形状を有するコリメートレンズホルダに取り付けられ、かつ、このコリメートレンズホルダにおける回折格子型偏光子側の開放端に上記遮蔽板が取り付けられていることを特徴とするものである。
【発明の効果】
【００１５】
本発明に係る偏光依存型インライン光アイソレータによれば、回折格子型偏光子と第一光ファイバーコリメータのコリメートレンズ間に、第一光ファイバーコリメータの偏光保持光ファイバーからの入射光がコリメートレンズを介して通過する孔を有する遮蔽板が配置されていることから、上記回折格子型偏光子により回折される戻り光が存在しても、この戻り光は、上記遮蔽板により遮蔽されてコリメートレンズに入射されることはない。
【００１６】
従って、例え０．５Ｗを超える戻り光が存在する場合においても、順方向入射側の偏光保持光ファイバー等を破壊させることのない偏光依存型インライン光アイソレータを提供することができる効果を有する。
【図面の簡単な説明】
【００１７】
【図１】従来の偏光依存型インライン光アイソレータの構成説明図。
【図２】本発明に係る偏光依存型インライン光アイソレータの構成説明図。
【図３】本発明の実施例に係る偏光依存型インライン光アイソレータの構成説明図。
【発明を実施するための形態】
【００１８】
以下、本発明の実施の形態について図２を用いて詳細に説明する。
【００１９】
ファラデー回転子１１を中央にして上述した回折格子型偏光子８と検光子１０を具備するインライン光アイソレータの両端には、図２に示すように偏光保持光ファイバー１および２が使用され、各偏光保持光ファイバー１、２は、非球面レンズ等のコリメートレンズ３および４と組み合わされて各偏光保持光ファイバー１、２から出射された光を平行光にしている。尚、偏光保持光ファイバーとコリメートレンズを組み合わせた光デバイスを光ファイバーコリメータと称している。
【００２０】
また、本明細書では、インライン光アイソレータの順方向入射側に位置する光ファイバーコリメータ、すなわち、偏光保持光ファイバー１とコリメートレンズ３を組み合わせた光デバイスを第一光ファイバーコリメータと定義し、インライン光アイソレータの順方向出射側に位置する光ファイバーコリメータ、すなわち、偏光保持光ファイバー２とコリメートレンズ４を組み合わせた光デバイスを第二光ファイバーコリメータと定義している。
【００２１】
更に、このインライン光アイソレータにおいては、上記回折格子型偏光子８と第一光ファイバーコリメータのコリメートレンズ３間に、第一光ファイバーコリメータの偏光保持光ファイバー１から出射される光（すなわち入射光）が上記コリメートレンズ３を介して通過する孔１００を有する遮蔽板７が配置されている。
【００２２】
まず、この実施の形態に係る「偏光依存型インライン光アイソレータ」における順方向の光について説明をする。
【００２３】
図２に示すように、第一光ファイバーコリメータの偏光保持光ファイバー１から出射された光は偏光が定まった光であり、この光はコリメートレンズ３を通り平行光になり、平行光が通り抜けられるように設けられた孔１００を有する遮蔽板７を通って上記回折格子型偏光子８に入射される。尚、上記遮蔽板７としては、金属板やセラミックス板等に代表される不透光性のもの、および、透光性であっても光拡散性を有するガラス板等が使用可能である。そして、回折格子型偏光子８に入射された上記偏光は、この回折格子型偏光子８の透過偏光軸方向と平行になるように調整されており、上記偏光は、損失を受けることなく透過する。
【００２４】
そして、上記回折格子型偏光子８を透過した光は、ファラデー回転子１１により偏光方向が４５°回転され、かつ、４５°回転した上記偏光は、偏光透過軸がこの４５°回転した偏光と平行になるように調整された検光子１０を通過すると共に、上記コリメートレンズ３と対向して配置された第二光ファイバーコリメータのコリメートレンズ４に入射し、かつ、第二光ファイバーコリメータの偏光保持光ファイバー２に結合されて光は伝わっていく。尚、検光子１０については、偏光子８として適用されている上述の回折格子型偏光子を使用することができる。
【００２５】
次に、実施の形態に係る「偏光依存型インライン光アイソレータ」における逆方向の光（戻り光）について説明する。
【００２６】
まず、第二光ファイバーコリメータの偏光保持光ファイバー２から出射された光（戻り光）は、上述した光路と逆をたどり、第二光ファイバーコリメータのコリメートレンズ４、検光子１０を通過し、ファラデー回転子１１を通る。ここで、偏光は順方向と同じ方向に４５°回転し、回折格子型偏光子８に入射するが、この際、偏光は、回折格子型偏光子８の偏光透過軸と９０°異なるため透過せず、回折されることになる。
【００２７】
そして、回折格子型偏光子８により回折された光は、上述した遮蔽板７が金属板やセラミックス板のような不透光性材料で構成される場合、遮蔽板７に設けられた孔１００を通過することができずに遮蔽板７で反射され、光アイソレータ全体に熱として広がる結果、第一光ファイバーコリメータの偏光保持光ファイバー１およびその周辺に集中的に戻ることは無い。また、上述した遮蔽板７が拡散性ガラスで構成される場合、回折格子型偏光子８により回折された光は、遮蔽板７に設けられた孔１００を通過することができず、遮蔽板７で拡散されて第一光ファイバーコリメータの偏光保持光ファイバー１周辺に戻ってくるが、遮蔽板７の拡散作用によりそのエネルギー密度は大幅に減じられる結果、偏光保持光ファイバー１周辺全体に熱となって広がることから有効である。尚、上記拡散性ガラスとしては、ガラス内に乳白色の光拡散物質を分散させたオパール型拡散板や、表面を磨りガラス状にしたフロスト型拡散板等が利用できる。
【００２８】
ところで、回折格子型偏光子８で回折される偏光は、回折されない偏光に対して５°以上の分離を実現することは容易であるが、少しでも分離角を大きくするため、上記回折格子型偏光子８の偏光子面をファラデー回転子１１側へ向かせて配置することが望ましい。例えば、図２に示すように透明なガラス基板９とこの基板９の片面に設けられた回折型偏光子８０とで上記回折格子型偏光子８が構成される場合、回折型偏光子８０で回折された光は基板ガラス９を通るが、基板ガラス９から空気面に出て行く際にスネルの法則により屈折されて分離角が大きくなるからである。
【００２９】
また、第一光ファイバーコリメータの偏光保持光ファイバー１側に戻り光を少しでも戻させないために回折格子型偏光子８と遮蔽板７の距離を広げることも重要である。
【００３０】
そして、回折格子型偏光子８と遮蔽板７の距離を広げる方法としては、コリメートレンズ３を保持する金属製で筒形状のコリメートレンズホルダ５の開放端に上記遮蔽板７を取り付ける構造を採ることが望ましい。この理由は以下の通りである。
【００３１】
すなわち、本発明の偏光依存型インライン光アイソレータを製造する場合、入力損失を最適にするために二つのファイバーコリメータ（すなわち、第一光ファイバーコリメータと第二光ファイバーコリメータ）の位置を調整する必要があるが、コリメートレンズ３を保持する金属製で筒形状のコリメートレンズホルダ５の開放端に遮蔽板７を取り付ける上述の構造を採用することで、二つのファイバーコリメータの位置調整を行っても、遮蔽板７と、第一ファイバーコリメータ（偏光保持光ファイバー１、コリメートレンズ３、コリメートレンズホルダ５で構成される第一光ファイバーコリメータ）との位置関係は常に変わらないため、第一ファイバーコリメータから出射した光が上記遮蔽板７により遮られる心配がないからである。
【００３２】
ここで、図２中、符号６は第二光ファイバーコリメータのコリメートレンズホルダ、符号１２は円筒磁石をそれぞれ示している。
【００３３】
そして、上記遮蔽板を組み込む構造を採ることにより、例え０．５Ｗを超えるような強い戻り光が存在する場合でも、順方向入射側の偏光保持光ファイバー等が破損されることの無い安定した偏光依存型インライン光アイソレータを実現することができる。
【００３４】
以下、本発明の実施例について具体的に説明する。
【実施例】
【００３５】
まず、実施例に係る偏光依存型インライン光アイソレータを図３に示す。
【００３６】
尚、図２に示した偏光依存型インライン光アイソレータと同一の構成部品については、図２と同一の符号を用いて示している。
【００３７】
すなわち、この実施例に係る偏光依存型インライン光アイソレータは、ファラデー回転子１１を中央にしてその順方向入射側に回折格子型偏光子８が配置され、順方向出射側に検光子１０が配置されると共に、上記回折格子型偏光子８の順方向入射側に、偏光保持光ファイバー１とコリメートレンズ３を組み合わせて成る第一光ファイバーコリメータがそのコリメートレンズ３を回折格子型偏光子８側に向けて配置され、かつ、上記検光子１０の順方向出射側に、偏光保持光ファイバー２とコリメートレンズ４を組み合わせて成る第二光ファイバーコリメータがそのコリメートレンズ４を検光子１０側に向けて配置された構造を備え、かつ、上記回折格子型偏光子８と第一光ファイバーコリメータのコリメートレンズ３間に、第一光ファイバーコリメータの偏光保持光ファイバー１からの入射光が上記コリメートレンズ３を介して通過する孔１００を有する遮蔽板７が配置されている。
【００３８】
そして、実施例に係る偏光依存型インライン光アイソレータは、以下のようにして製造されている。
【００３９】
まず、対接着剤用の無反射コートを両面に施した１０６４ｎｍで４５°偏光面が回転するＢｉ置換型ガーネット膜１３を用い、かつ、一方が対接着剤用として機能し、他方が対空気用として機能する無反射コートを施したサファイア板１４、１４を、上記ガーネット膜１３とサファイア板１４、１４の対接着剤用の無反射コート同士が接着面に向くようにエポキシ接着剤で貼り合わせた「サファイア板１４／ガーネット膜１３／サファイア板１４」の構造体を上記ファラデー回転子１１として適用し、このファラデー回転子１１の両側に上記回折格子型偏光子８と検光子１０を上述した位置関係で配列し、図３に示す放熱用銅ホルダ１５に上記回折格子型偏光子８とファラデー回転子１１と検光子１０を固定することなくまず配置した。尚、上記回折格子型偏光子８と検光子１０は、透明なガラス基板９とこの基板９の片面に設けられた回折型偏光子８０とでそれぞれ構成されており（回折型偏光子は回折型検光子としても機能する）、例えば、特開２００２−１８２０２９号公報や特開２００３−２９０３４号公報に記載された回折型偏光子を使用することができる。
【００４０】
次に、第一光ファイバーコリメータの偏光保持光ファイバー１とコリメートレンズ３は筒形状のコリメートレンズホルダ５にそれぞれ取り付け、コリメートレンズホルダ５における回折格子型偏光子８側の開放端に、上述した孔１００を有する不透光性アルミナ製の遮蔽板７を、第一光ファイバーコリメータから出力される順方向の光が上記孔１００を通過できるように配置し、かつ、ＹＡＧレーザーで溶接、固定した。
【００４１】
次に、放熱用銅ホルダ１５に固定することなく配置された回折格子型偏光子８とファラデー回転子１１と検光子（ガラス基板９と回折型偏光子８０とで構成されている）１０について、入力損失が最小でかつアイソレーションが最大になるようにそれぞれの位置関係を調整した後、上記放熱用銅ホルダ１５に接着剤を用いて貼り合わせた。
【００４２】
次に、上記放熱用銅ホルダ１５に取り付けられたステンレスパイプ１６に、第一光ファイバーコリメータを、第一光ファイバーコリメータの偏光保持ファイバー１の偏光軸と回折型偏光子８が合致するように接着させ、かつ、第一光ファイバーコリメータが対向する第二光ファイバーコリメータに結合し、第二光ファイバーコリメーターからの出射光の偏光消光比が最大になるように調整した後、ステンレスパイプ１６を介して第二光ファイバーコリメータを放熱用銅ホルダ１５に固定して実施例に係る偏光依存型インライン光アイソレータを製造した。
【００４３】
このようにして製造された実施例に係る偏光依存型インライン光アイソレータの逆方向に、１Ｗの１０６４ｎｍの光を１時間連続して入れて第一光ファイバーコリメータの偏光保持光ファイバー１周辺に異常が起こるかを観察したところ、アイソレーション値にも劣化は確認されず、かつ、その後において偏光依存型インライン光アイソレータを分解して偏光保持光ファイバー１周辺を観察したが異常は見られなかった。
【産業上の利用可能性】
【００４４】
本発明に係る偏光依存型インライン光アイソレータによれば、例え０．５Ｗを超える戻り光が存在する場合においても順方向入射側の偏光保持光ファイバー等が破壊されることがないため、高出力レーザー用の偏光依存型インライン光アイソレータとして用いられる産業上の利用可能性を有している。
【符号の説明】
【００４５】
１  偏光保持光ファイバー
２  偏光保持光ファイバー
３  コリメートレンズ
４  コリメートレンズ
５  コリメートレンズホルダ
６  コリメートレンズホルダ
７  遮蔽板
８  回折格子型偏光子
９  ガラス基板
１０  検光子
１１  ファラデー回転子
１２  円筒磁石
１３  Ｂｉ置換型ガーネット膜
１４  サファイア板
１５  銅ホルダ
１６  ステンレスパイプ
８０  回折型偏光子
１００  孔
【図１】
2011069875.tif 000003
【図２】
2011069875.tif 000004
【図３】
2011069875.tif 000005